(57)【要約】【課題】カバーとハウジングとの組み付けを適正に維持可能な組付構造、及び、その組付構造を用いたヒュージブルリンクユニット、を提供すること。【解決手段】カバー２０とハウジング１０との組付構造は、板状のカバー２０と、カバー２０が組み付けられるハウジング１０と、を備える。カバー２０は、カバー２０をハウジング１０に固定するためのロック部２２を、カバー２０の端部の一部として有する。ハウジング１０は、ロック部２２が挿入される挿入孔３３と、ロック部２２の厚さ方向における一方側の面に接触するように挿入孔３３の内壁面から突出した係合凸部３６と、を有する。カバー２０の組付方向において、ロック部２２と係合凸部３６とが重なり合って係合するとともに、ロック部２２が挿入孔３３に収容される。これにより、ロック部２２が外部に露出しない状態で、カバー２０がハウジング１０に組み付けられることになる。【選択図】図７
2020087693.tif 000002
【特許請求の範囲】
【請求項１】
板状のカバーと、前記カバーが組み付けられるハウジングと、を備える、カバーとハウジングとの組付構造であって、
前記カバーは、
当該カバーを前記ハウジングに固定するためのロック部を、当該カバーの端部の一部として有し、
前記ハウジングは、
前記ロック部が挿入される挿入孔と、前記ロック部の厚さ方向における一方側の面に接触するように前記挿入孔の内壁面から突出した係合凸部と、を有し、
前記カバーが所定の組付方向に沿って前記ハウジングに組み付けられるとき、前記ロック部と前記係合凸部とが前記組付方向において重なり合って係合するとともに、前記ロック部が前記挿入孔の内部に収容される、
カバーとハウジングとの組付構造。
【請求項２】
請求項１に記載の組付構造において、
前記ロック部は、
前記組付方向に対して傾斜した状態にて前記係合凸部に係合する傾斜連結部と、前記傾斜連結部から前記カバーの末端側に延びる挿入片と、を有し、前記傾斜連結部よりも前記カバーの中央側にあるカバー本体部に前記傾斜連結部が繋がるように構成され、
前記係合凸部は、
前記カバーが前記ハウジングに組み付けられるときに前記挿入片を前記挿入孔の内部へ向けて案内するように傾斜した面を有する、
カバーとハウジングとの組付構造。
【請求項３】
請求項１又は請求項２に記載の組付構造において、
前記挿入孔は、
前記係合凸部と向かい合うように配置され且つ前記ロック部の厚さ方向における他方側の面に接触するように配置された壁面部を有し、
前記壁面部は、
前記カバーが前記ハウジングに組み付けられるときに前記挿入片を前記挿入孔の内部へ向けて案内するように傾斜した面を有する、
カバーとハウジングとの組付構造。
【請求項４】
所定の配列方向に並んだ複数の可溶部を有するヒューズエレメントと、前記ヒューズエレメントを収容するハウジングと、前記ハウジングに組み付けられる板状のカバーと、を備える、ヒュージブルリンクユニットであって、
前記ハウジングは、
前記配列方向と交差する交差方向に当該ハウジングを貫通した窓部と、前記窓部の前記配列方向における両端部分に設けられた挿入孔と、を有するとともに、前記窓部の内側に前記複数の可溶部を収容し、
前記カバーは、
前記配列方向に沿って延びるとともに、当該カバーを前記ハウジングに固定するためのロック部を当該カバーの前記配列方向における両端部の一部として有し、
前記挿入孔に前記ロック部が挿入されることにより、請求項１〜請求項３の何れか一項に記載の組付構造に従って、前記カバーが前記窓部を塞ぐように前記ハウジングに組み付けられる、ように構成された、
ヒュージブルリンクユニット。
【発明の詳細な説明】
【技術分野】
【０００１】
本発明は、カバーとハウジングとの組付構造、及び、電源と負荷との間（例えば、車載バッテリと各種機器との間）に設けられるヒュージブルリンクユニット、に関する。
【背景技術】
【０００２】
従来から、車載バッテリに直接に取り付けられるヒュージブルリンクユニット（ヒューズユニットとも称呼される。）が知られている。この種のヒュージブルリンクユニットは、一般に、絶縁樹脂製のハウジングと、ハウジングに収容された回路体であるバスバ（具体的には、可溶部を有するヒューズエレメントおよび端子などを含む導電性部材）と、を備えている。ヒューズエレメントの可溶部は、定格以上の電流が同エレメントを流れた際に溶断するようになっている。
【０００３】
例えば、従来のヒュージブルリンクユニットの一つ（以下「従来ユニット」という。）は、ハウジング外装の溶断部に対応する位置に開口部を有するとともに、開口部を覆うようにハウジングに装着されるカバーを有している。従来ユニットは、カバーの両端部に設けられた係合用の孔部にハウジングに設けられた係合用の突起を係合させることで、カバーをハウジングに固定するようになっている（例えば、特許文献１を参照。）。
【先行技術文献】
【特許文献】
【０００４】
【特許文献１】特開２０１４−０３５９９５号公報
【発明の概要】
【発明が解決しようとする課題】
【０００５】
従来ユニットは、通常の使用環境下ではカバーがハウジングから意図せず分離することはないように、設計される。しかし、カバーの孔部とハウジングの突起とが係合した箇所に周辺の部材が衝突する等の外力が及んだ場合、孔部や突起が損傷し、孔部と突起との係合が適正に維持されない可能性がある。その結果、場合によっては、カバーがハウジングから意図せず分離する可能性がある。このような意図しない分離は、できる限り抑制されることが望ましい。なお、カバーとハウジングとの意図しない分離の抑制は、ヒュージブルリンクユニット以外の構造体においても、当然に望ましい。
【０００６】
本発明は、上述した事情に鑑みてなされたものであり、その目的は、カバーとハウジングとの組み付けを適正に維持可能な組付構造、及び、その組付構造を用いたヒュージブルリンクユニット、を提供することにある。
【課題を解決するための手段】
【０００７】
前述した目的を達成するために、本発明に係るカバーとハウジングとの組付構造、及び、ヒュージブルリンクユニットは、下記［１］〜［４］を特徴としている。
［１］
板状のカバーと、前記カバーが組み付けられるハウジングと、を備える、カバーとハウジングとの組付構造であって、
前記カバーは、
当該カバーを前記ハウジングに固定するためのロック部を、当該カバーの端部の一部として有し、
前記ハウジングは、
前記ロック部が挿入される挿入孔と、前記ロック部の厚さ方向における一方側の面に接触するように前記挿入孔の内壁面から突出した係合凸部と、を有し、
前記カバーが所定の組付方向に沿って前記ハウジングに組み付けられるとき、前記ロック部と前記係合凸部とが前記組付方向において重なり合って係合するとともに、前記ロック部が前記挿入孔の内部に収容される、
カバーとハウジングとの組付構造であること。
［２］
上記［１］に記載の組付構造において、
前記ロック部は、
前記組付方向に対して傾斜した状態にて前記係合凸部に係合する傾斜連結部と、前記傾斜連結部から前記カバーの末端側に延びる挿入片と、を有し、前記傾斜連結部よりも前記カバーの中央側にあるカバー本体部に前記傾斜連結部が繋がるように構成され、
前記係合凸部は、
前記カバーが前記ハウジングに組み付けられるときに前記挿入片を前記挿入孔の内部へ向けて案内するように傾斜した面を有する、
カバーとハウジングとの組付構造であること。
［３］
上記［１］又は上記［２］に記載の組付構造において、
前記挿入孔は、
前記係合凸部と向かい合うように配置され且つ前記ロック部の厚さ方向における他方側の面に接触するように配置された壁面部を有し、
前記壁面部は、
前記カバーが前記ハウジングに組み付けられるときに前記挿入片を前記挿入孔の内部へ向けて案内するように傾斜した面を有する、
カバーとハウジングとの組付構造であること。
［４］
所定の配列方向に並んだ複数の可溶部を有するヒューズエレメントと、前記ヒューズエレメントを収容するハウジングと、前記ハウジングに組み付けられる板状のカバーと、を備える、ヒュージブルリンクユニットであって、
前記ハウジングは、
前記配列方向と交差する交差方向に当該ハウジングを貫通した窓部と、前記窓部の前記配列方向における両端部分に設けられた挿入孔と、を有するとともに、前記窓部の内側に前記複数の可溶部を収容し、
前記カバーは、
前記配列方向に沿って延びるとともに、当該カバーを前記ハウジングに固定するためのロック部を当該カバーの前記配列方向における両端部の一部として有し、
前記挿入孔に前記ロック部が挿入されることにより、上記［１］〜上記［３］の何れか一つに記載の組付構造に従って、前記カバーが前記窓部を塞ぐように前記ハウジングに組み付けられる、ように構成された、
ヒュージブルリンクユニットであること。
【０００８】
上記［１］の構成の組付構造によれば、カバーの端部の一部であるロック部がハウジングの挿入孔に挿入されることにより、カバーがハウジングに組み付けられる。このとき、挿入孔の内壁面から突出する係合凸部と、ロック部と、が組付方向において重なり合った状態で係合するため、組付方向におけるカバーの移動が抑制され、カバーがハウジングに固定される。更に、ロック部が挿入孔に収容されて外部に露出しないため、ロック部と係合凸部との係合箇所に外力が及ぶことが抑制される。したがって、本構成の組付構造は、上述した従来ユニットに用いられる組付構造に比べ、カバーとハウジングとの組み付けを適正に維持可能である。
【０００９】
上記［２］の構成の組付構造によれば、ロック部が挿入片と傾斜連結部とから構成され、傾斜連結部がカバー本体部に繋がっている。よって、カバーをハウジングに組み付ける際、傾斜連結部が無く挿入片と本体部とが直接的に繋がる場合に比べ、挿入片に対して挿入孔から及んだ力が傾斜連結部に分散される。例えば、傾斜連結部が無い場合には、挿入片に及んだ力は挿入片と本体部とが繋がる一箇所に集中し易いのに対し、傾斜連結部がある場合には、挿入片に及んだ力は挿入片と傾斜連結部とが繋がる箇所および傾斜連結部と本体部とが繋がる箇所の二箇所に分散される。よって、ロック部の破損を抑制できる。また、傾斜連結部の長さや傾斜度合いを調整することで、ロック部に及ぶ力の大小を調整することもできる。更に、係合凸部の傾斜面に沿って挿入片が案内されることにより、カバーとハウジングとの組み付けをスムーズに行うことができる。
【００１０】
上記［３］の構成の組付構造によれば、ロック部の厚さ方向における他方側の面に接触して挿入孔を案内する傾斜面を有する壁面部が、係合凸部と向かい合うように、挿入孔に設けられる。よって、カバーとハウジングとの組み付けをスムーズに行うことができる。
【００１１】
上記［４］の構成のヒュージブルリンクユニットによれば、上記［１］〜上記［３］の何れか一つの組付構造を用いることにより、従来ユニットに比べ、カバーとハウジングとが意図せず分離することが抑制される。したがって、本構成のヒュージブルリンクユニットは、カバーとハウジングとの組み付けを適正に維持可能である。
【発明の効果】
【００１２】
本発明によれば、カバーとハウジングとの組み付けを適正に維持可能な組付構造、及び、その組付構造を用いたヒュージブルリンクユニットを提供できる。
【００１３】
以上、本発明について簡潔に説明した。更に、以下に説明される発明を実施するための最良の形態を添付の図面を参照して通読することにより、本発明の詳細は更に明確化されるであろう。
【図面の簡単な説明】
【００１４】
【図１】図１は、本発明の実施形態に係るヒュージブルリンクユニットの使用状態を示す斜視図である。
【図２】図２は、図１に示すヒュージブルリンクユニットの構成図であり、図２（ａ）は同ユニットを前方から見た斜視図であり、図２（ｂ）は同ユニットを後方から見た斜視図である。
【図３】図３は、図１に示すヒュージブルリンクユニットの分解斜視図である。
【図４】図４は、図３に示す後側カバーの構成図であり、図４（ａ）は後側カバーの正面図であり、図４（ｂ）は後側カバーの側面図である。
【図５】図５は、後側カバーとハウジングとの寸法関係を説明するための図２のＡ−Ａ断面に相当図であり、図５（ａ）は後側カバーをハウジングに組み付ける組付方向を表す図であり、図５（ｂ）は後側カバーの端部の拡大図であり、図５（ｃ）はハウジングの端部の拡大図である。
【図６】図６は、後側カバーのハウジングへの組み付け途中の状態を示す図２のＡ−Ａ断面に相当する図である。
【図７】図７（ａ）は、前側カバー及び後側カバーの組み付けが完了したハウジングの図２のＡ−Ａ断面に相当する図であり、図７（ｂ）は、図７（ａ）に示すハウジングの端部の拡大図である。
【発明を実施するための形態】
【００１５】
以下、図１〜図７を参照しながら、本発明の実施形態に係るカバーとハウジングとの組付構造を含むヒュージブルリンクユニット１について説明する。
【００１６】
図１に示すように、ヒュージブルリンクユニット１は、自動車等に搭載されるバッテリ１００にバッテリ端子７１を介して取り付けられる。ヒュージブルリンクユニット１は、バッテリ１００の上面側に配置される水平ブロック部２と、水平ブロック部２の端縁から垂下されてバッテリ１００の側面側に沿って配置される垂直ブロック部３と、を有している。垂直ブロック部３の下端部には、負荷に繋がる電線（図示省略）の端末に取り付けられたコネクタ（図示省略）を接続するためのコネクタ部４が、横一列（正面から見て左右方向一列）に配置されている。以下、この左右方向を「配列方向」とも称呼する。更に、この配列方向に直交するように交差する方向（コネクタ部４の前後方向）を「交差方向」とも称呼する。
【００１７】
なお、本実施形態では、垂直ブロック部３にコネクタ（図示省略）が接続されることにより、垂直ブロック部３の内側に格納されている複数の端子部（図示省略）と、コネクタに収容されている端子（図示省略）と、が電気的に接続されることになる。しかし、両者の電気的接続の手法は、本手法に限定されない。例えば、垂直ブロック部３に格納されている端子部に対し、電線の端末に取り付けられた端子（図示省略）がボルト及びナット等によって締結されることにより、両者が電気的に接続されてもよい。
【００１８】
図２に示すように、ヒュージブルリンクユニット１は、絶縁樹脂製のハウジング１０と、バッテリ１００にバッテリ端子７１を介して接続される端子部５１、オルタネータに接続される端子部５２、車両の補機などに接続される端子部５３、及び、複数の負荷側の端子部（垂直ブロック部３の内側に格納されている端子部）を外部に露出させた状態にてハウジング１０の内部に主要部が埋設されたバスバ５０と、を有している。なお、図１に示すように、端子部５１にはバッテリ端子７１がボルト６１（図１参照）を用いて接続され、端子部５２には締め付けボルト６２等を用いてオルタネータに繋がる端子（図示省略）が接続され、端子部５３には締め付けボルト６２等を用いて車両の補器などに繋がる端子（図示省略）が接続される。
【００１９】
バスバ５０は、金属板を打ち抜き加工した回路構成体であり、ハウジング１０に対してインサート成形されることにより、ハウジング１０と一体化されている。ハウジング１０は、水平ブロック部２に対応する水平な板状部１２と、垂直ブロック部３に対応する前後方向（本例では、交差方向と同じ方向）に厚みを有し前方から見て長方形状に形成された壁部１３と、を有している。
【００２０】
バスバ５０には、端子部５１，５２と、垂直ブロック部３の内側に格納されている複数の端子部と、の間をそれぞれ繋ぐ複数のヒューズエレメント５５（図３参照）が一体に形成されている。複数のヒューズエレメント５５の各々は可溶部５６を有している。複数のヒューズエレメント５５は、上述した配列方向（本例では、ヒュージブルリンクユニット１を正面から見たときの左右方向）に並ぶように配置されている。ヒューズエレメント５５は、垂直ブロック部３を構成するハウジング１０の壁部１３の中に収容されている。垂直ブロック部３の内側に格納されている複数の端子部は、垂直ブロック部３の下端のコネクタ部４の中にコネクタ端子として設けられており、ヒューズエレメント５５の下方に位置している。
【００２１】
図３（図７（ａ）も参照）に示すように、ハウジング１０のヒューズエレメント５５を収容した壁部１３には、前側壁面１４から後側壁面１５まで貫通した窓部１９が設けられている。別の言い方をすると、窓部１９は、ヒューズエレメント５５（可溶部５６）の配列方向と交差する交差方向（本例では、ヒュージブルリンクユニット１を正面から見たときの前後方向）にハウジング１０を貫通するように設けられている。より具体的には、窓部１９は、ヒューズエレメント５５（可溶部５６）の配列方向（左右方向）に沿って並ぶ複数の貫通孔として設けられている。
【００２２】
窓部１９の各々の内側には、可溶部５６（溶断部）を有するヒューズエレメント５５が収容されている（図７（ａ）も参照。）。即ち、ハウジング１０は、ヒューズエレメント５５の可溶部５６が窓部１９から露出するように、バスバ５０を収容している。なお、水平ブロック部２に取り付けられたカバー４１の内側にも、ヒューズエレメント５５と同様の構成または異なる構成を有するヒューズエレメント（図示省略）が収容されている。
【００２３】
窓部１９の前面には、窓部１９の前面側の開口部を塞ぐように、透明樹脂製の前側カバー２０ａがハウジング１０に取り付けられている。前側カバー２０ａは、窓部１９の前面側の開口部の形状に対応した横長の板状（可溶部５６の配列方向に沿って延びる板状）に形成されている。前側カバー２０ａは、透明であることから、ヒューズエレメント５５の可溶部５６を外部前面から視認可能に覆っている。前側カバー２０ａの材料としては、例えば、透明であり且つ耐熱性のある樹脂材（例えば、ＰＥＳＵ及びＰＡＲ等）が採用され得る。なお、これら透明な樹脂材は、一般に、後述する不透明な樹脂材に比べて高価である。
【００２４】
窓部１９の後面には、窓部１９の後面側の開口部を塞ぐように、不透明樹脂製の後側カバー２０ｂがハウジング１０に取り付けられている。後側カバー２０ｂも、前側カバー２０ａと同様、窓部１９の後面側の開口部の形状に対応した横長の板状（可溶部５６の配列方向に沿って延びる板状）に形成されている。後側カバー２０ｂの材料としては、不透明であり且つ強度及び耐熱性に優れたガラス繊維入りの樹脂材（例えば、ＰＳ−Ｓ、ＰＡ６Ｔ等を繊維強化した樹脂）が採用され得る。なお、後側カバー２０ｂの材料としては、ガラス繊維以外の強化繊維（炭素繊維など）を含有した材料を用いてもよい。
【００２５】
以下、図４〜図７を参照しながら、前側カバー２０ａ及び後側カバー２０ｂの構成、並びに、ハウジング１０における前側カバー２０ａ及び後側カバー２０ｂを取り付ける箇所の構成について詳細に説明する。本例では、前側カバー２０ａ及び後側カバー２０ｂは、同形であり、構成材料のみが異なる。以下、前側カバー２０ａ及び後側カバー２０ｂを区別する必要がない場合には、前側カバー２０ａ及び後側カバー２０ｂを、単に「カバー２０」と呼ぶこともある。
【００２６】
図４に示すように、カバー２０は、窓部１９の開口部（即ち、配列方向に沿って並ぶ複数の貫通孔）を塞ぐ長さを有する配列方向に延びる細長平板状の本体部２１と、本体部２１の両端部から本体部２１の板面に垂直な方向（カバー２０の組付方向）に突出する一対のロック部２２と、を一体に備える。ロック部２２は、カバー２０をハウジング１０（具体的には、窓部１９の開口部）に取り付けた際にカバー２０をハウジング１０に固定するための機能を果たす。
【００２７】
ロック部２２は、本体部２１の板面に垂直な方向に延びる挿入片２３と、挿入片２３及び本体部２１とを連結するとともに本体部２１の板面に傾斜する方向に延びる傾斜連結部２４と、から構成される。
【００２８】
図５に示すように、ロック部２２を固定する（係合する）相手側の構成として、ハウジング１０の壁部１３には、窓部１９の配列方向における両端の近傍に、窓部１９のうち最も配列方向外側に位置する貫通孔を区画する枠壁における配列方向外側の区画壁３１と、壁部１３の配列方向端部を構成する側壁３２と、が配列方向に隣接するように設けられている。区画壁３１及び側壁３２のそれぞれは、上下方向及び交差方向に平行に延びている。区画壁３１と側壁３２との間には、交差方向に貫通する挿入孔３３が形成されている。図５（ａ）に白抜き矢印で示すように、組付方向（図中の上下方向）に沿ってカバー２０をハウジング１０に組み付けるとき、挿入孔３３には、カバー２０のロック部２２が挿入されることになる。
【００２９】
図５（ｃ）に示すように、区画壁３１の配列方向外側面である交差方向に延びる壁面３４の交差方向両端部には、組付方向（図中の上下方向）に対して傾斜する方向に延びる傾斜面３５が形成されている。側壁３２の配列方向内側面の交差方向両端部には、配列方向内側に向けて突出する（即ち、挿入孔３３の内壁面から突出する）係合凸部３６が形成されている。係合凸部３６の頂面（配列方向内側の端面）は、上下方向及び交差方向に延びる平面である。係合凸部３６の交差方向内側側面には、傾斜面３５に平行な方向に延びる傾斜面３７が形成されている。傾斜面３５，３７は、挿入孔３３の入り口部分の内壁の一部を構成している。
【００３０】
ここで、図５（ａ）に示すように、カバー２０の一対の挿入片２３の配列方向外側面間における配列方向の間隔ａは、ハウジング１０の一対の係合凸部３６の頂面間における配列方向の間隔ｂより大きい（ａ＞ｂ）。カバー２０の一対の挿入片２３の配列方向内側面間における配列方向の間隔ｃは、ハウジング１０の一対の壁面３４間の配列方向における間隔ｄと等しい又は間隔ｄより小さい（ｃ≦ｄ）。更に、図５（ｂ）及び図５（ｃ）に示すように、カバー２０の本体部２１におけるカバー２０の組み付け方向側の側面と、カバー２０の挿入片２３及び傾斜連結部２４における境界と、の交差方向の間隔ｅは、ハウジング１０の窓部１９を構成する枠壁の後側端面と、ハウジング１０の係合凸部３６の頂面及び傾斜面３７における境界と、の交差方向の間隔ｆより大きい（ｅ＞ｆ）。カバー２０の挿入片２３の厚さｇは、ハウジング１０の互いに平行な傾斜面３５，３７の間隔ｈより大きい（ｇ＞ｈ）。このように間隔ａ，ｂ，ｃ，ｄ，ｅ，ｆ，ｇ，ｈが設定されることによって得られる効果について、以降の記載中で説明する。
【００３１】
次いで、カバー２０のハウジング１０に対する取り付け手順について説明する。カバー２０をハウジング１０に取り付けるには、図６に示すように、まず、カバー２０の一対の挿入片２３を、ハウジング１０の配列方向両端部に位置する互いに対向する傾斜面３５，３７によって案内しながら、傾斜面３５，３７に沿って挿入孔３３に挿入する。
【００３２】
このとき、ｇ＞ｈの関係に起因して、挿入片２３が挿入孔３３内に挿入されるとき、組み付けの初期からハウジング１０がカバー２０に圧入的に挿入されることにより、カバー２０に対して保持力を及ぼすことができる。図６に示すように、挿入片２３が互いに対向する傾斜面３５、３７に挟まれた段階（挿入初期の段階）では、ａ＞ｂの関係に起因して、図中の黒色矢印に示すように、カバー２０が、本体部２１の配列方向中央部がハウジング１０から離れる方向（後方）に若干撓むように、且つ、一対の傾斜連結部２４が一対の挿入片２３を配列方向外側に広げる方向に若干撓むように、弾性変形している。
【００３３】
次いで、図６に示す状態から、カバー２０の一対の挿入片２３を一対の挿入孔３３の内部へ向けて更に押し込む。これにより、図７（ａ）及び図７（ｂ）に示すように、カバー２０の一対の挿入片２３が、一対の挿入孔３３の正規挿入位置まで挿入されて、カバー２０（前側カバー２０ａ及び後側カバー２０ｂ）のハウジング１０への取り付けが完了する。
【００３４】
カバー２０のハウジング１０への取り付け完了状態（図７（ｂ）参照）では、ｃ≦ｄの関係に起因して、一対の挿入片２３が一対の壁面３４を挟んでいる。これにより、カバー２０のハウジング１０に対する配列方向の位置ズレ（ガタつき）が抑制され得る。
【００３５】
更に、ａ＞ｂ及びｅ＞ｆの関係に起因して、カバー２０の組付方向（交差方向）において、ロック部２２（傾斜連結部２４）と係合凸部３６とが重なり合って係合している。なお、ロック部２２（傾斜連結部２４）と係合凸部３６とは、当接していても、僅かに離間していてもよい。これにより、組付方向（交差方向）におけるカバー２０の移動が抑制され得る。更に、ロック部２２（挿入片２３）が挿入孔３３に収容されて外部に露出しない状態となる。これにより、ロック部２２（傾斜連結部２４）と係合凸部３６との係合箇所に外力が及ぶことが抑制されるので、カバー２０とハウジング１０との組み付けを適正に維持可能である。なお、ハウジング１０に取り付けられたカバー２０を容易に取り外すことはできない。
【００３６】
以上、本発明の実施形態に係るカバーとハウジングとの組付構造を含むヒュージブルリンクユニット１によれば、カバー２０の端部がロック部２２として用いられ、このロック部２２がハウジング１０の挿入孔３３に挿入されることにより、カバー２０がハウジング１０に組み付けられる。このとき、挿入孔３３の内壁面から突出する係合凸部３６と、ロック部２２と、が組付方向において重なり合った状態で係合するため、組付方向におけるカバー２０の移動が抑制され、カバー２０がハウジング１０に組み付けられる。更に、ロック部２２が挿入孔３３に収容されて外部に露出しないため、ロック部２２と係合凸部３６との係合箇所に外力が及ぶことが抑制される。したがって、本構成の組付構造を含むヒュージブルリンクユニット１は、カバー２０とハウジング１０との組み付けを適正に維持可能である。
【００３７】
更に、ロック部２２が挿入片２３と傾斜連結部２４から構成され、傾斜連結部２４がカバー２０の本体部２１に繋がっている。よって、カバー２０をハウジング１０に組み付ける際、傾斜連結部２４が無く挿入片２３と本体部２１とが直接繋がる場合に比べ、挿入片２３に対して挿入孔３３から及んだ力が傾斜連結部２４に分散される。例えば、傾斜連結部２４が無い場合には、挿入片２３に及んだ力は挿入片２３と本体部２１とが繋がる一箇所に集中し易いのに対し、傾斜連結部２４がある場合には、挿入片２３に及んだ力は挿入片２３と傾斜連結部２４とが繋がる箇所および傾斜連結部２４と本体部２１とが繋がる箇所の二箇所に分散される。よって、ロック部２２の破損を抑制できる。また、傾斜連結部２４の長さや傾斜度合いを調整することで、ロック部２２に及ぶ力の大小を調整することもできる。更に、係合凸部３６の傾斜面３７に沿って挿入片２３が案内されることで、組み付けをスムーズに行うことができる。
【００３８】
更に、ロック部２２の厚さ方向における他方側（配列方向内側）の面に接触して挿入孔３３を案内する傾斜面３５が、更に挿入孔３３に設けられる。よって、カバー２０とハウジング１０との組み付けをスムーズに行うことができる。
【００３９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４０】
例えば、上述した実施形態に係るヒュージブルリンクユニット１では、前側カバー２０ａが透明樹脂製であり、後側カバー２０ｂが不透明樹脂製である。これに対し、前側カバー２０ａ及び後側カバー２０ｂの双方が透明樹脂製であってもよい。
【００４１】
更に、上記実施形態では、区画壁３１の壁面３４に傾斜面３５が形成され、且つ、側壁３２の係合凸部３６に傾斜面３７が形成されている。これに対し、傾斜面３５，３７の何れか一方又は両方がなくてもよい。
【００４２】
更に、上記実施形態では、カバー２０において、ロック部２２が挿入片２３と傾斜連結部２４から構成され、傾斜連結部２４がカバー２０の本体部２１に繋がっている。これに対し、カバー２０において、傾斜連結部２４が無く挿入片２３と本体部２１とが直接繋がっていてもよい。
【００４３】
ここで、上述した本発明に係るカバーとハウジングとの組付構造及びヒュージブルリンクユニット１の実施形態の特徴をそれぞれ以下［１］〜［４］に簡潔に纏めて列記する。
［１］
板状のカバー（２０）と、前記カバー（２０）が組み付けられるハウジング（１０）と、を備える、カバー（２０）とハウジング（１０）との組付構造であって、
前記カバー（２０）は、
当該カバー（２０）を前記ハウジング（１０）に固定するためのロック部（２２）を、当該カバー（２０）の端部の一部として有し、
前記ハウジング（１０）は、
前記ロック部（２２）が挿入される挿入孔（３３）と、前記ロック部（２２）の厚さ方向における一方側の面に接触するように前記挿入孔（３３）の内壁面から突出した係合凸部（３６）と、を有し、
前記カバー（２０）が所定の組付方向に沿って前記ハウジング（１０）に組み付けられるとき、前記ロック部（２２）と前記係合凸部（３６）とが前記組付方向において重なり合って係合するとともに、前記ロック部（２２）が前記挿入孔（３３）の内部に収容される、
カバー（２０）とハウジング（１０）との組付構造。
［２］
上記［１］に記載の組付構造において、
前記ロック部（２２）は、
前記組付方向に対して傾斜した状態にて前記係合凸部（３６）に係合する傾斜連結部（２４）と、前記傾斜連結部（２４）から前記カバー（２０）の末端側に延びる挿入片（２３）と、を有し、前記傾斜連結部（２４）よりも前記カバー（２０）の中央側にあるカバー（２０）本体部に前記傾斜連結部（２４）が繋がるように構成され、
前記係合凸部（３６）は、
前記カバー（２０）が前記ハウジング（１０）に組み付けられるときに前記挿入片（２３）を前記挿入孔（３３）の内部へ向けて案内するように傾斜した面（３７）を有する、
カバー（２０）とハウジング（１０）との組付構造。
［３］
上記［１］又は上記［２］に記載の組付構造において、
前記挿入孔（３３）は、
前記係合凸部（３６）と向かい合うように配置され且つ前記ロック部（２２）の厚さ方向における他方側の面に接触するように配置された壁面部（３４）を有し、
前記壁面部（３４）は、
前記カバー（２０）が前記ハウジング（１０）に組み付けられるときに前記挿入片（２３）を前記挿入孔の内部へ向けて案内するように傾斜した面（３５）を有する、
カバー（２０）とハウジング（１０）との組付構造。
［４］
所定の配列方向に並んだ複数の可溶部（５６）を有するヒューズエレメント（５５）と、前記ヒューズエレメント（５５）を収容するハウジング（１０）と、前記ハウジング（１０）に組み付けられる板状のカバー（２０）と、を備える、ヒュージブルリンクユニット（１）であって、
前記ハウジング（１０）は、
前記配列方向と交差する交差方向に当該ハウジング（１０）を貫通した窓部（１９）と、前記窓部（１９）の前記配列方向における両端部分に設けられた挿入孔（３３）と、を有するとともに、前記窓部（１９）の内側に前記複数の可溶部（５６）を収容し、
前記カバー（２０）は、
前記配列方向に沿って延びるとともに、当該カバー（２０）を前記ハウジング（１０）に固定するためのロック部（２２）を当該カバー（２０）の前記配列方向における両端部の一部として有し、
前記挿入孔（３３）に前記ロック部（２２）が挿入されることにより、上記［１］〜上記［３］の何れか一つに記載の組付構造に従って、前記カバー（２０）が前記窓部（１９）を塞ぐように前記ハウジング（１０）に組み付けられる、ように構成された、
ヒュージブルリンクユニット。
【符号の説明】
【００４４】
１    ヒュージブルリンクユニット
１０    ハウジング
１９    窓部
２０    カバー
２２    ロック部
２３    挿入片
２４    傾斜連結部
３３    挿入孔
３４    壁面（壁面部）
３５    傾斜面
３６    係合凸部
３７    傾斜面
５５    ヒューズエレメント
５６    可溶部
【図１】
2020087693.tif 000003
【図２】
2020087693.tif 000004
【図３】
2020087693.tif 000005
【図４】
2020087693.tif 000006
【図５】
2020087693.tif 000007
【図６】
2020087693.tif 000008
【図７】
2020087693.tif 000009